(57)【特許請求の範囲】
【請求項１】
外部から診療記録として複数の診断画像を取得する取得部と、
取得した前記複数の診断画像を画像毎に順次圧縮する圧縮部と、
前記圧縮部による前記複数の診断画像の圧縮中に、携帯端末が有する読取部によって読み取られると前記携帯端末との間の接続を確立可能なコードを、表示画面に表示させる表示制御部と、
前記コードに基づいて前記携帯端末との間の接続を確立すると、前記圧縮部が圧縮する前記複数の診断画像のうちの前記接続が確立したタイミングで圧縮が完了した診断画像を前記携帯端末に転送し、前記タイミングで圧縮が完了していない診断画像を前記携帯端末に転送しない転送部と、
を備える、診療記録転送装置。
【請求項２】
前記表示制御部は、前記複数の診断画像のうちの１個目の診断画像が圧縮されると、前記コードを前記表示画面に表示させる、
請求項１に記載の診療記録転送装置。
【請求項３】
前記圧縮部は、圧縮した前記診断画像を記憶部に記憶させ、
前記転送部が前記記憶部の圧縮した前記診断画像を前記携帯端末に転送すると、前記携帯端末に転送された診断画像及び前記携帯端末に転送されなかった診断画像を前記記憶部から消去する消去部を更に備える、
請求項１又は２に記載の診療記録転送装置。
【請求項４】
前記表示制御部は、前記表示画面の第１領域に前記取得部が取得した前記診断画像に関連する関連情報を表示させ、前記表示画面の前記第１領域に隣接する第２領域に前記コードとして二次元コードを表示させる、
請求項１から３のいずれか１項に記載の診療記録転送装置。
【請求項５】
前記転送部は、前記携帯端末と連結可能な外部記憶装置が前記診療記録転送装置に連結された場合に、前記診断画像を転送可能であり、
前記表示制御部は、前記転送部が前記外部記憶装置に前記診断画像を転送する場合には、前記コードを前記表示画面に表示させない、
請求項１から４のいずれか１項に記載の診療記録転送装置。
【請求項６】
外部から診療記録として複数の診断画像を取得するステップと、
取得した前記複数の診断画像を画像毎に順次圧縮するステップと、
前記複数の診断画像の圧縮中に、携帯端末が有する読取部によって読み取られると前記携帯端末との間の接続を確立可能なコードを、表示画面に表示させるステップと、
前記コードに基づいて前記携帯端末との間の接続を確立すると、前記複数の診断画像のうちの前記接続が確立したタイミングで圧縮が完了した診断画像を前記携帯端末に転送し、前記タイミングで圧縮が完了していない診断画像を前記携帯端末に転送しないステップと、
を有する、診療記録転送方法。
【請求項７】
携帯端末と通信可能な診療記録転送装置が有するコンピュータに、
外部から診療記録として複数の診断画像を取得するステップと、
取得した前記複数の診断画像を画像毎に順次圧縮するステップと、
前記複数の診断画像の圧縮中に、携帯端末が有する読取部によって読み取られると前記携帯端末との間の接続を確立可能なコードを、表示画面に表示させるステップと、
前記コードに基づいて前記携帯端末との間の接続を確立すると、前記複数の診断画像のうちの前記接続が確立したタイミングで圧縮が完了した診断画像を前記携帯端末に転送し、前記タイミングで圧縮が完了していない診断画像を前記携帯端末に転送しないステップと、
を実行させるためのプログラム。
【発明の詳細な説明】
【技術分野】
【０００１】
本発明は、外部から取得した診療記録を圧縮して携帯端末に転送する診療記録転送装置、診療記録転送方法及びプログラムに関する。
【背景技術】
【０００２】
従来、医療機関の診療記録（例えば、ＣＴやＭＲＩ等の診断画像）は、医療機関の管理装置で管理されたり、ＣＤ（コンパクトディスク）等の記録媒体に記録されて患者や医者等に提供されたりしている。患者等にとってみれば、自らの診療記録を自由に確認できるものの、診療記録が多くなると保有する記録媒体の数も多くなるため、管理が煩雑になっていた。
【０００３】
このような問題を解決する方策として、特許文献１に開示された診療記録管理システムが提案されている。この診療記録管理システムでは、診療記録送信装置が、診療記録をＣＤやＵＳＢ等の記録媒体に記録する代わりに患者の携帯端末等の診療記録受信装置に転送することで、診療記録を診療記録受信装置で一元管理している。
【先行技術文献】
【特許文献】
【０００４】
【特許文献１】特許第５３９３９０５号公報
【発明の概要】
【発明が解決しようとする課題】
【０００５】
しかし、特許文献１の技術では、診療記録の転送前に診療記録受信装置と診療記録送信装置との間で様々な設定情報を設定する必要があるため、診療記録の転送が完了する迄に時間を要する。また、患者等にも、設定情報の設定を行うために煩雑な手間を強いることになる。このため、患者や医者等の携帯端末に診療記録を手軽に転送できる工夫が求められている。
【０００６】
そこで、本発明はこれらの点に鑑みてなされたものであり、診療記録を携帯端末に簡易かつ安全に転送できる診療記録転送装置を提供することを目的とする。
【課題を解決するための手段】
【０００７】
本発明の第１の態様においては、外部から診療記録を取得する取得部と、取得した前記診療記録を圧縮する圧縮部と、前記圧縮部が前記診療記録を圧縮する場合に、携帯端末が有する読取部によって読み取られると前記携帯端末との間の接続を確立可能なコードを、表示画面に表示させる表示制御部と、前記コードに基づいて前記携帯端末との間の接続を確立すると、圧縮した前記診療記録を前記携帯端末に転送する転送部と、を備える、診療記録転送装置を提供する。
【０００８】
また、前記取得部は、管理装置から前記診療記録として複数の診断画像を受信し、前記圧縮部は、前記複数の診断画像を画像毎に順次圧縮し、前記表示制御部は、前記圧縮部による前記複数の診断画像の圧縮中に、一つの前記コードを前記表示画面に表示させることとしてもよい。
【０００９】
また、前記表示制御部は、前記複数の診断画像のうちの１個目の診断画像が圧縮されると、前記コードを前記表示画面に表示させることとしてもよい。
【００１０】
また、前記転送部は、前記携帯端末との間の接続が確立すると、前記複数の診断画像のうちの前記圧縮部による圧縮が完了した診断画像を前記携帯端末に転送し、前記圧縮部による圧縮が完了していない診断画像を前記携帯端末に転送しないこととしてもよい。
【００１１】
また、前記取得部は、管理装置から前記診療記録として複数の診断画像を受信し、前記診療記録転送装置は、ユーザの入力操作を受け付ける入力部を更に備え、前記圧縮部は、前記取得部が前記複数の診断画像を受信した後に前記入力部が前記診断画像の前記携帯端末への転送に関する入力操作を受け付けると、前記複数の診断画像を一括して圧縮することとしてもよい。
【００１２】
また、前記表示制御部は、前記圧縮部が前記複数の診断画像を一括して圧縮すると、前記コードを前記表示画面に表示させることとしてもよい。
【００１３】
また、前記圧縮部は、圧縮した前記診療記録を記憶部に記憶させ、前記転送部が前記記憶部の圧縮した前記診療記録を前記携帯端末に送信すると、前記診療記録を前記記憶部から消去する消去部を更に備えることとしてもよい。
【００１４】
また、前記表示制御部は、前記表示画面の第１領域に前記取得部が取得した前記診療記録に関連する関連情報を表示させ、前記表示画面の前記第１領域に隣接する第２領域に前記コードとして二次元コードを表示させることとしてもよい。
【００１５】
また、前記転送部は、前記携帯端末と連結可能な外部記憶装置が前記診療記録転送装置に連結された場合に、前記診療記録を転送可能であり、前記表示制御部は、前記転送部が前記外部記憶装置に前記診療記録を転送する場合には、前記コードを前記表示画面に表示させないこととしてもよい。
【００１６】
本発明の第２の態様においては、外部から診療記録を取得するステップと、取得した前記診療記録を圧縮するステップと、前記診療記録を圧縮する場合に、携帯端末が有する読取部によって読み取られると前記携帯端末との間の接続を確立可能なコードを、表示画面に表示させるステップと、前記コードに基づいて前記携帯端末との間の接続を確立すると、圧縮した前記診療記録を前記携帯端末に転送するステップと、を有する、診療記録転送方法を提供する。
【００１７】
本発明の第３の態様においては、携帯端末と通信可能な診療記録転送装置が有するコンピュータに、外部から診療記録を取得するステップと、取得した前記診療記録を圧縮するステップと、前記診療記録を圧縮する場合に、前記携帯端末が有する読取部によって読み取られると前記携帯端末との間の接続を確立可能なコードを、表示画面に表示させるステップと、前記コードに基づいて前記携帯端末との間の接続を確立すると、圧縮した前記診療記録を前記携帯端末に転送するステップと、を実行させるためのプログラムを提供する。
【発明の効果】
【００１８】
本発明によれば、診療記録を携帯端末に簡易かつ安全に転送できる診療記録転送装置を提供できるという効果を奏する。
【図面の簡単な説明】
【００１９】
【図１】本発明の第１の実施形態に係る診療記録転送システムＳの構成の一例を示す模式図である。
【図２】携帯端末２への診断画像の転送を説明するための概略図である。
【図３】第１の実施形態に係る転送装置１の構成の一例を示すブロック図である。
【図４】操作画面７００の一例を示す図である。
【図５】二次元コード７３２を表示している操作画面７００の一例を示す図である。
【図６】第１の実施形態に係る携帯端末２の構成の一例を示すブロックである。
【図７】表示部２３が表示する診断画像の一例を示す図である。
【図８】第１の実施形態に係る転送装置１による診療記録の転送処理を示すフローチャートである。
【図９】第２の実施形態に係る転送装置１の構成の一例を示すブロック図である。
【図１０】第２の実施形態に係る操作画面７００を説明するための図である。
【図１１】第２の実施形態に係る転送装置１による診療記録の転送処理を示すフローチャートである。
【図１２】第３の実施形態に係る携帯端末２への診断画像の転送方法を説明するための模式図である。
【発明を実施するための形態】
【００２０】
＜１．第１の実施形態＞
（１−１．診療記録転送システムの概要）
図１及び図２を参照しながら、本発明の第１の実施形態に係る診療記録転送システムＳの概要について説明する。
図１は、第１の実施形態に係る診療記録転送システムＳの構成の一例を示す模式図である。図１に示すように、診療記録転送システムＳは、診療記録転送装置である転送装置１と、携帯端末２と、管理サーバ３と、記憶サーバ４とを有する。
【００２１】
第１の実施形態に係る診療記録転送システムＳは、病院等の医療機関の管理装置である管理サーバ３に保存されている診療記録や、医療機関から記録媒体１００を介して配布された診療記録を、ユーザが所有する携帯端末２に転送する。例えば、診療記録転送システムＳは、管理サーバ３からユーザ（患者、受診者、医者等）が用いる携帯端末２に診療記録を転送し、携帯端末２で一元管理可能である。
【００２２】
なお、携帯端末２に転送される診療記録は、医療機関における診療内容を記録したテキスト、音声、画像、動画等のデータである。テキスト及び音声としては、医療機関で使用する電子カルテ、ユーザの情報や検査内容、診療時の医師の所見等が含まれる。また、画像及び動画としては、各種レントゲン画像、ＣＴ画像、ＭＲＩ画像、超音波画像、及び内視鏡検査画像等の静止画及び動画が含まれる。このような診療記録は、医療機関で使用される各種画像保存通信システム（ＰＡＣＳ、Picture Archiving and Communication System）において保存、管理される。
以下では、診療記録としてレントゲン画像やＣＴ画像等の各種診断画像を例に挙げて説明する。
【００２３】
管理サーバ３は、例えば医療機関毎に設けられたＰＡＣＳサーバであり、患者の診断画像等を保存、管理する。管理サーバ３は、例えばネットワーク等の通信回線を介して診断画像を転送装置１に送信する。なお、管理サーバ３は、患者の診断画像等を生成、保存、管理する医療機器であってもよい。
【００２４】
転送装置１は、管理サーバ３から受信した診断画像や記録媒体１００から読み取った診断画像を、例えば可逆圧縮方式（lossless compression）で保存して携帯端末２に転送する。この際、転送装置１は、無線通信回線（ここではＷｉ−Ｆｉ（登録商標））によって、圧縮した診断画像を携帯端末２に転送する。転送装置１は、ＰＡＣＳサーバ（管理サーバ３）にアクセス可能なパーソナルコンピュータやキオスク端末等である。なお、キオスク端末とは、各病院に関連付けて設置された双方向通信可能な情報通信端末であり、例えば、病院を訪れた患者の操作に応じて院内手続きや診療予約等を行う。
【００２５】
携帯端末２は、診療記録転送システムＳを利用するユーザが携帯可能な端末であり、例えばスマートフォーン、携帯電話、タブレット端末等のモバイル機器である。例えば、ユーザが患者である場合には、診断画像を携帯端末２にて一元管理できる。また、ユーザが医者である場合には、診断画像が転送された携帯端末２を持って病院内で回診する際に、携帯端末２の表示部に表示された診断画像を用いて患者に説明を行える。
なお、転送装置１及び携帯端末２は、ここでは同一のユーザによって操作されるが、必ずしもこれに限定されず、転送装置１のユーザと携帯端末２のユーザとが、それぞれ異なってもよい。
【００２６】
記憶サーバ４は、転送装置１で圧縮された診断画像を転送装置１から受信して、保存可能なサーバである。記憶サーバ４は、転送装置１及び携帯端末２の間で事前にファイルを共有している。記憶サーバ４は、携帯端末２からの要求に応じて、診断画像を携帯端末２に転送する。例えば、携帯端末２のユーザである医者が病院外にいる場合に、医者は、転送されてきた診断画像を見て、適切な措置を迅速に取ることができる。
【００２７】
上述した診療記録システムＳでは、簡易かつ安全に携帯端末２へ診断画像を転送できるように、図２に示すような方式を採用している。
図２は、携帯端末２への診断画像の転送を説明するための概略図である。ここでは、管理サーバ３から受信した診断画像を携帯端末２に転送する場合を例に挙げて説明するが、記録媒体１００から読み取った診断画像を携帯端末２に転送する場合も同様である。
【００２８】
具体的には、転送装置１は、管理サーバ３から診断画像を受信すると、診断画像を圧縮して所定フォルダ内に一時的に保存するとともに、転送装置１に対するアクセスを可能にするためのコネクション情報を含むコードである二次元コード７３２を生成して表示部１３の表示画面に表示させる。ここで、コネクション情報とは、例えば、転送装置１のＩＰアドレス、ポート番号、使用するＷｉ−Ｆｉネットワーク名、圧縮した診断画像を保存したフォルダ場所等を示す情報である。また、二次元コード７３２は、ここではＱＲコード（登録商標）である。
【００２９】
一方で、携帯端末２は、例えば携帯端末２のカメラで転送装置１の表示画面に表示された二次元コード７３２を読み取ることでコネクション情報を取得する。そして、携帯端末２が、取得したコネクション情報に基づいて転送装置１との間のコネクションを確立すると、転送装置１は、無線通信回線（Ｗｉ−Ｆｉ）によって、圧縮した診断画像を携帯端末２へ転送する。これに伴い、転送装置１は、転送する診断画像を転送装置１の記憶部から消去する。
【００３０】
（１−２．転送装置の構成）
図３〜図５を参照しながら、第１の実施形態に係る転送装置１の構成の一例について説明する。
図３は、第１の実施形態に係る転送装置１の構成の一例を示すブロック図である。図３に示すように、転送装置１は、通信部１１と、読取部１２と、表示部１３と、操作部１４と、記憶部１５と、制御部１６とを有する。
【００３１】
通信部１１は、外部機器との間で通信を行う通信インターフェイス（以下、通信ＩＦ）である。例えば、通信部１１は、インターネット等を介して通信を行う通信ＩＦ、無線通信回線を介して通信を行う通信ＩＦ、ＵＳＢやケーブル等を介して通信を行う通信ＩＦである。本実施形態では、転送装置１が携帯端末２と通信する場合、転送装置１は、無線通信回線、ＵＳＢ、ケーブルのいずれかを介して通信を行う。
【００３２】
読取部１２は、例えばＣＤ−ＲＯＭドライブやＵＳＢポート等により構成され、記録媒体１００（図１）を読み取り、記録媒体１００に保存された診断画像を取得する。読取部１２を介して読み取られた診断画像は、記憶部１５の所定領域に記憶される。
【００３３】
表示部１３は、例えば液晶ディスプレイや有機ＥＬ（Electro-Luminescence）ディスプレイ等により構成される。表示部１３は、例えば管理サーバ３から受信した診断画像又は画像検査情報を表示する。また、本実施形態では、表示部１３は、制御部１６の制御に応じて、二次元コード７３２を表示させる。
【００３４】
操作部１４は、例えばキーボードやマウス等により構成され、ユーザが入力操作を行うことが可能である。例えば、ユーザは、操作部１４を介して、診断画像の携帯端末２への転送に関する様々な設定を行う。
【００３５】
記憶部１５は、例えばＲＯＭ及びＲＡＭ等により構成され、転送装置１を機能させるための各種プログラムや各種データを記憶する。また、記憶部１５は、管理サーバ３から受信した診断画像と、記録媒体１００から読み出した診断画像とを一時的に記憶する。そして、記憶部１５は、診断画像が圧縮されると、圧縮した診断画像を記憶する。
【００３６】
制御部１６は、例えばＣＰＵにより構成される。制御部１６は、記憶部１５に記憶されている各種プログラムを実行することにより、転送装置１に係る機能を統括的に制御する。本実施形態では、制御部１６は、取得部１６１、圧縮部１６２、コード処理部１６３、表示制御部１６４、転送部１６５及び消去部１６６として機能する。
【００３７】
（取得部１６１）
取得部１６１は、外部から診療記録を取得する。例えば、取得部１６１は、通信部１１を介して管理サーバ３から診療記録として診断画像を受信することで、診断画像を取得する。また、取得部１６１は、読取部１２を介して記録媒体１００の記録内容を読み取ることで、診断画像を取得する。
【００３８】
取得部１６１は、取得した診療記録を記憶部１５に記憶させる。例えば、取得部１６１は、管理サーバ３から複数の診断画像を受信する場合には、個々の診断画像を記憶部１５の所定フォルダに順次記憶させる。本実施形態の診断画像は、ＤＩＣＯＭ（Digital Imaging and Communication in Medicine）等の所定の規格に応じた画像データである。
【００３９】
なお、取得部１６１は、ＤＩＣＯＭ以外の規格（ＪＰＥＧ、ＴＩＦＦ等）の画像データも取得可能である。かかる場合に、取得部１６１は、当該画像データをＤＩＣＯＭに対応するように変換して、記憶部１５に記憶させる。
【００４０】
（圧縮部１６２）
圧縮部１６２は、取得部１６１が取得した診療記録を圧縮する。具体的には、圧縮部１６２は、記憶部１５の所定フォルダに記憶された診断画像を、例えば可逆圧縮方式により圧縮する。なお、取得部１６１が複数の診断画像を受信して記憶部１５に記憶させる場合には、圧縮部１６２は、複数の診断画像を画像毎に順次圧縮する。これにより、管理サーバ３が診断画像を送信してから圧縮するまでの時間を、短縮可能である。
【００４１】
圧縮部１６２は、圧縮した診断画像を、例えば圧縮前に記憶されていた所定フォルダに記憶させる。ただし、これに限定されず、圧縮部１６２は、圧縮した診断画像を別のフォルダに記憶させてもよい。
【００４２】
（コード処理部１６３）
コード処理部１６３は、圧縮部１６２が診療記録を圧縮する場合に、二次元コード７３２を生成する。例えば、コード処理部１６３は、圧縮部１６２が複数の診断画像を圧縮する場合には、圧縮部１６２が１個目の診断画像を圧縮すると、二次元コード７３２を生成する。コード処理部１６３は、圧縮部１６２が圧縮する診断画像の個数に関係無く、一つの二次元コード７３２を生成する。
【００４３】
二次元コード７３２は、外部装置（携帯端末２等）が転送装置１に対してアクセスできるようにためのコネクション情報を含むコードであり、ここではＱＲコードである。ＱＲコードは、転送装置１のＩＰアドレス、ポート番号、使用するＷｉ−Ｆｉネットワーク名、圧縮した診断画像を保存したフォルダ場所等を示す。コード処理部１６３は、生成した二次元コード７３２を表示制御部１６４に出力する。
【００４４】
（表示制御部１６４）
表示制御部１６４は、表示部１３の表示を制御する。例えば、表示制御部１６４は、ユーザが診断画像の転送に関する各種の設定を行うことが可能な操作画面を、表示部１３に表示させる。
【００４５】
図４は、操作画面７００の一例を示す図である。なお、図４は、診断画像が記憶部１５に記憶されていない状態における操作画面７００を示している。図４に示すように、操作画面７００は、受診者情報領域７１０とリスト領域７２０を含む。受診者情報領域７１０及びリスト領域７２０は、取得部１６１が取得した診療記録に関連する関連情報を表示する領域である。
【００４６】
具体的には、受診者情報領域７１０は、ユーザ（ここでは受診者）の識別情報を示す領域である。受診者情報領域７１０には、例えば、ユーザのＩＤ、年齢、性別等の情報が表示される（図５参照）。リスト領域７２０は、ユーザが検査した診療記録のリストを示す領域である。リスト領域７２０には、各診療記録を識別するための情報が表示される（図５参照）。また、操作画面７００（具体的には、受診者情報領域７１０）には、診断画像を外部から読み込むためのインポートボタン７１２と、診断画像を外部に出力するためのエクスポートボタン７１３とが含まれている。
【００４７】
本実施形態では、表示制御部１６４は、圧縮部１６２が診療記録を圧縮する場合に、二次元コード７３２を表示画面に表示させる。具体的には、表示制御部１６４は、前述した操作画面７００の一部の領域に、コード処理部１６３が生成した二次元コード７３２（ＱＲコード）を表示させる。
【００４８】
図５は、二次元コード７３２を表示している操作画面７００の一例を示す図である。表示制御部１６４は、例えば図４に示す受診者情報領域７１０を狭くして、二次元コード７３２を含むコード領域７３０を表示させる。コード領域７３０は、第１領域である受診者情報領域７１０及びリスト領域７２０に隣接する第２領域である。なお、表示制御部１６４は、コード領域７３０を操作画面７００とは異なる画面（具体的には、ポップアップ画面）に表示させてもよい。
【００４９】
また、表示制御部１６４は、圧縮部１６２が複数の診断画像を圧縮する場合には、複数の診断画像の圧縮中に一つの二次元コード７３２を操作画面７００に表示させる。具体的には、表示制御部１６４は、複数の診断画像のうちの１個目の診断画像が圧縮されると、二次元コード７３２を操作画面７００に表示させる。その後、表示制御部１６４は、２個目以降の診断画像の圧縮中に、二次元コード７３２の表示を変更させない。
【００５０】
通常、操作画面７００に二次元コード７３２が表示されても、ユーザが携帯端末２の読取部（カメラ）を起動して二次元コード７３２を撮像するまでは時間が要する。このため、複数の診断画像の圧縮中に二次元コード７３２を表示させても、圧縮する診断画像の個数が少ない場合には、実際に読取部で二次元コード７３２を撮像する迄に２個目以降の診断画像の圧縮も完了するので、ユーザにとっての不利益はほとんどない。
【００５１】
（転送部１６５）
図３に戻り、転送部１６５は、二次元コード７３２に基づいて携帯端末２との間の接続を確立すると、圧縮した診療記録を携帯端末２に転送する。具体的には、二次元コード７３２に含まれるコネクション情報を読み取った携帯端末２が、コネクッション情報に基づいて転送装置１との間のコネクションを確立すると、転送部１６５は、圧縮部１６２が圧縮した診断画像を、通信部１１を介して携帯端末２に転送する。
【００５２】
転送部１６５は、携帯端末２との間の接続が確立すると、複数の診断画像のうちの圧縮部１６２による圧縮が完了した診断画像を携帯端末２に転送し、圧縮部１６２による圧縮が完了していない診断画像を携帯端末２に転送しない。具体的には、転送部１６５は、携帯端末２との間の接続が確立したタイミングで圧縮部１６２による圧縮が完了していない診断画像を携帯端末２に転送しない。
【００５３】
（消去部１６６）
消去部１６６は、転送部１６５が記憶部１５の圧縮した診療記録を携帯端末２に送信すると、診療記録を記憶部１５から消去する。例えば、消去部１６６は、転送部１６５が診断画像を転送すると、直ぐに当該診断画像を消去する。これにより、診断画像が転送装置１内に残存することを防止できるので、他のユーザが当該診断画像を閲覧することを防止できる。この結果、管理サーバ３に保存された診断画像を携帯端末２に安全に転送することが可能となる。なお、消去部１６６は、圧縮されないために携帯端末２に転送されなかった診断画像も、消去してもよい。
【００５４】
（１−３．携帯端末の構成）
図６及び図７を参照しながら、第１の実施形態に係る携帯端末２の構成の一例について説明する。
図６は、第１の実施形態に係る携帯端末２の構成の一例を示すブロックである。図６に示すように、携帯端末２は、通信部２１と、読取部２２と、表示部２３と、操作部２４と、記憶部２５と、制御部２６とを有する。
【００５５】
通信部２１は、外部機器との間で通信を行う通信ＩＦである。例えば、通信部２１は、インターネット等を介して通信を行う通信ＩＦ、無線通信回線を介して通信を行う通信ＩＦ、ＵＳＢやケーブル等を介して通信を行う通信ＩＦである。本実施形態では、携帯端末２が転送装置１と通信する場合、携帯端末２は、無線通信回線、ＵＳＢ、ケーブルのいずれかを介して通信を行う。
【００５６】
読取部２２は、例えばカメラ等の撮像部である。読取部２２は、転送装置１が操作画面７００に表示した二次元コード７３２を撮像することで、二次元コード７３２に含まれる各種情報を読み取る。
【００５７】
表示部２３は、例えば液晶ディスプレイや有機ＥＬディスプレイ等により構成される。表示部２３は、転送装置１から転送されてきた診療記録を表示する。例えば、表示部２３は、図７に示すような診断画像を表示する。
【００５８】
図７は、表示部２３が表示する診断画像の一例を示す図である。図７には、診断部位を示す画像が示されている。なお、図７には示していないが、画像と共に、電子カルテ、ユーザの情報や検査内容、診療時の医師の所見等のテキストデータを表示させてもよい。これにより、ユーザは、診断結果の詳細を理解できる。
【００５９】
図６に戻り、操作部２４は、例えば、ボタンや、表示部２３に重畳して配置される接触センサ等により構成されており、ユーザが入力操作を行うことが可能である。例えば、ユーザが診断画像を表示させる入力操作を行うと、表示部２３は、例えば図７に示すように診断画像を表示する。
【００６０】
記憶部２５は、例えば、ＲＯＭ及びＲＡＭ等により構成され、携帯端末２を機能させるための各種プログラムや各種データを記憶する。また、記憶部２５は、転送装置１から転送されてきた診療記録（診断画像）を記憶する。
【００６１】
制御部２６は、例えば、ＣＰＵにより構成される。制御部２６は、記憶部２５に記憶されている各種プログラムを実行することにより、携帯端末２に係る機能を統括的に制御する。
例えば、制御部２６は、読取部２２が読み取ったコネクション情報に基づいて、転送装置１との間のコネクションを確立する。そして、制御部２６は、確立したコネクションに基づいて転送装置１から転送されてきた診断画像を受信し、記憶部２５に記憶させる。
【００６２】
（１−４．診療記録の転送処理）
図８を参照しながら、第１の実施形態に係る転送装置１による診療記録の転送処理の流れについて説明する。診療記録の転送処理は、転送装置１の制御部１６が記憶部１５に記憶されたプログラム実行することで実現される。なお、当該プログラムは、外部サーバからダウンロードされたものであってもよい。
【００６３】
図８は、第１の実施形態に係る転送装置１による診療記録の転送処理を示すフローチャートである。本フローチャートは、制御部１６の取得部１６１が、管理サーバ３から複数の診断画像を取得するところから開始される（ステップＳ１０２）。具体的には、取得部１６１は、通信部１１を介して、管理サーバ３から複数の診断画像を受信する。
【００６４】
次に、圧縮部１６２は、取得部１６１が取得した診断画像の圧縮を開始する（ステップＳ１０４）。圧縮部１６２は、取得部１６１が複数の診断画像のうちの１個目の診断画像を受信すると、当該診断画像の圧縮を開始する。圧縮部１６２は、順次圧縮した診断画像を、記憶部１５の所定フォルダに順次記憶させる。
【００６５】
次に、ステップＳ１０６においては、複数の診断画像のうちの１個目の診断画像が圧縮されたか否かが判定される。そして、ステップＳ１０６で１個目の診断画像の圧縮が完了したと判定されると（Ｙｅｓ）、コード処理部１６３は、携帯端末２等が転送装置１に対してアクセスできるようにためのコネクション情報を含む二次元コード７３２を生成する（ステップＳ１０８）。
【００６６】
次に、表示制御部１６４は、コード処理部１６３が生成した二次元コード７３２を、表示画面に表示させる（ステップＳ１１０）。具体的には、表示制御部１６４は、図５に示す操作画面７００のコード領域７３０に二次元コード７３２を表示させる。
【００６７】
前述したように、１個目の診断画像の圧縮が完了すると、二次元コード７３２が操作画面７００に表示される。このため、圧縮する診断画像の数が多い場合には、二次元コード７３２が操作画面７００に表示されている際に、圧縮が完了していない診断画像が継続して圧縮される。
【００６８】
次に、ステップＳ１１２においては、操作画面７００に表示された二次元コード７３２に基づいて携帯端末２との間で接続が確立されたか否かが判定される。携帯端末２の読取部２２が二次元コード７３２を読み取ることで、携帯端末２は、読み取った二次元コード７３２に含まれるコネクション情報に基づいて転送装置１との接続を確立する。
【００６９】
そして、ステップＳ１１２で携帯端末２との間の接続が確立したと判定されると（Ｙｅｓ）、転送部１６５は、圧縮した診断画像を携帯端末２に転送する（ステップＳ１１４）。具体的には、転送部１６５は、携帯端末２との間の接続が確立したと判定された時点で圧縮が完了した診断画像を、通信部１１を介して携帯端末２に転送する。
【００７０】
次に、消去部１６６は、転送部１６５が転送した診断画像を、記憶部１５から消去する（ステップＳ１１６）。例えば、消去部１６６は、転送部１６５が診断画像を転送すると、直ぐに当該診断画像を消去する。
これにより、診療記録の転送処理が完了する。
【００７１】
（１−５．第１の実施形態における効果）
上述した第１の実施形態においては、転送装置１は、診療記録である診断画像を圧縮する場合に、携帯端末２が有する読取部２２によって読み取られると携帯端末２との間の接続を確立可能な二次元コード７３２を、操作画面７００に表示させる。そして、転送装置１は、二次元コード７３２に基づいて携帯端末２との間の接続を確立すると、圧縮した診断画像を携帯端末２に転送する。
かかる場合には、例えば管理サーバ３から受信した診断画像を圧縮する際に生成して表示画面に表示された二次元コード７３２を、携帯端末２で読み取ることによって、圧縮した診断画像を携帯端末２に転送できる。これにより、携帯端末２のユーザは、簡易な操作で、所望の診断画像を携帯端末２で受信させて一元管理することが可能となる。
【００７２】
さらに、第１の実施形態によれば、高画質で容量の大きい診断画像を携帯端末２に転送できるので、携帯端末２のユーザである医者は、例えば病院内を回診する際に、転送されてきた診断画像を見て診察等が可能となる。
【００７３】
＜２．第２の実施形態＞
（２−１．転送装置の構成）
第１の実施形態では、転送装置１は、管理サーバ３から複数の診断画像を受信すると、受信した診断画像を自動で個々に圧縮する。これに対して、第２の実施形態では、転送装置１は、管理サーバ３から複数の診断画像を受信した後に転送装置１のユーザにより転送開始の入力操作がなされると、受信した複数の診断画像を一括して圧縮する。そして、転送装置１は、一括して圧縮した診断画像を、無線通信回線（Ｗｉ−Ｆｉ）を介して携帯端末２に転送する。
【００７４】
図９及び図１０を参照しながら、第２の実施形態に係る転送装置１の構成の一例について説明する。以下では、第１の実施形態と異なる構成を中心に説明し、第１の実施形態と同様の構成については説明を省略する。
【００７５】
図９は、第２の実施形態に係る転送装置１の構成の一例を示すブロック図である。第２の実施形態の制御部１６は、第１の実施形態で説明した取得部１６１、圧縮部１６２、コード処理部１６３、表示制御部１６４、転送部１６５及び消去部１６６に加えて、入力部１６７としても機能する。
【００７６】
入力部１６７は、ユーザが操作部１４で行った入力操作を受け付ける。第２の実施形態では、ユーザは、管理サーバ３から受信した診断画像を携帯端末２へ転送したい場合には、操作部１４において転送を開始させるための入力操作を行う。入力部１６７は、診断画像を携帯端末２へ転送させる入力操作を受け付けると、入力操作に関する情報を圧縮部１６２及びコード処理部１６３に出力する。
【００７７】
図１０は、第２の実施形態に係る操作画面７００を説明するための図である。図１０（ａ）に示す操作画面７００は、取得部１６１が管理サーバ３から診断画像を受信した後であって、診断画像を圧縮する前の画面である。操作画面７００は、コード領域７３０に転送開始ボタン７３４を含む。入力部１６７は、操作画面７００の転送開始ボタン７３４を選択すると、診断画像を携帯端末２へ転送させる入力操作を受け付ける。
【００７８】
圧縮部１６２は、取得部１６１が管理サーバ３から複数の診断画像を受信した後に入力部１６７が診断画像を携帯端末２へ転送させる入力操作を受け付けると、取得部１６１が取得した複数の診断画像を一括して圧縮する。かかる場合には、複数の診断画像を個別に圧縮する場合に比べて、複数の診断画像を短時間で圧縮することが可能となる。また、圧縮部１６２は、一括して圧縮した診断画像を記憶部１５の所定フォルダに記憶させる。
【００７９】
コード処理部１６３は、入力部１６７が診断画像を携帯端末２へ転送させる入力操作を受け付けると、二次元コード７３２を生成する。
【００８０】
表示制御部１６４は、圧縮部１６２が複数の診断画像を一括して圧縮すると、コード処理部１６３が生成した二次元コード７３２を操作画面７００に表示させる。具体的には、図１０（ｂ）に示すように、表示制御部１６４は、操作画面７００のコード領域７３０の転送開始ボタン７３４に代えて、二次元コード７３２を表示させる。
【００８１】
（２−２．診療記録の転送処理）
図１１を参照しながら、第２の実施形態に係る転送装置１による診療記録の転送処理の流れについて説明する。
【００８２】
図１１は、第２の実施形態に係る転送装置１による診療記録の転送処理を示すフローチャートである。本フローチャートも、制御部１６の取得部１６１が、管理サーバ３から複数の診断画像を取得するところから開始される（ステップＳ１０２）。
【００８３】
次に、表示制御部１６４は、図１０（ａ）に示すように転送開始ボタン７３４を含む操作画面７００を表示させる（ステップＳ２０２）。次に、ステップＳ２０４において、複数の診断画像を圧縮して携帯端末２へ転送させる転送開始ボタン７３４をユーザが選択したか否かが判定される。
【００８４】
ステップＳ２０４で転送開始ボタン７３４が選択したと判定されると（Ｙｅｓ）、圧縮部１６２は、複数の診断画像を一括して圧縮する（ステップＳ２０６）。圧縮部１６２は、一括して圧縮した診断画像を記憶部１５の所定フォルダに記憶させる。
【００８５】
診断画像の圧縮が完了すると、コード処理部１６３は、携帯端末２等が転送装置１に対してアクセスできるようにためのコネクション情報を含む二次元コード７３２を生成する（ステップＳ２０８）。
【００８６】
次に、表示制御部１６４は、コード処理部１６３が生成した二次元コード７３２を、図１０（ｂ）に示すように操作画面７００に表示させる（ステップＳ１１０）。次に、操作画面７００に表示された二次元コード７３２に基づいて携帯端末２との間の接続が確立すると（ステップＳ１１２：Ｙｅｓ）、転送部１６５は、圧縮した診断画像を携帯端末２に転送する（ステップＳ１１４）。
【００８７】
次に、消去部１６６は、転送部１６５が転送した診断画像を、記憶部１５から消去する（ステップＳ１１６）。
これにより、診療記録の転送処理が完了する。
【００８８】
（２−３．第２の実施形態における効果）
第２の実施形態においては、管理サーバ３から複数の診断画像を受信した後に転送装置１のユーザにより転送開始の入力操作がなされると、受信した複数の診断画像を一括して圧縮する。
かかる構成によれば、圧縮する診断画像の個数が多い場合に、診断画像を個別に圧縮する場合に比べて圧縮時間を短縮できる。また、管理サーバ３から受信した全ての診断画像を、確実に圧縮することが可能となる。
【００８９】
また、複数の診断画像の圧縮が完了した後に二次元コード７３２が表示されるので、二次元コード７３２の表示直後に携帯端末２の読取部２２が二次元コード７３２を読み取っても、全ての診断画像を携帯端末２に転送できる。
【００９０】
＜３．第３の実施形態＞
第１の実施形態及び第２の実施形態では、転送装置１は、Ｗｉ−Ｆｉ等の無線通信回線によって診断画像を携帯端末２に転送する。これに対して、第３の実施形態では、転送装置１が当該転送装置１と連結された外部記憶装置に診断画像を転送した後に、当該外部記憶装置を携帯端末２に連結させて外部記憶装置内の診断画像を携帯端末２に転送させる。
【００９１】
図１２は、第３の実施形態に係る携帯端末２への診断画像の転送方法を説明するための模式図である。転送装置１には、外部記憶装置であるＵＳＢメモリ１０８が連結可能である。このＵＳＢメモリ１０８は、携帯端末２とも連結可能である。ＵＳＢメモリ１０８は、転送装置１に差込可能な第１差込部（図１２に示す差込部１０８ａ）と、携帯端末２に差込可能な第２差込部（不図示）とを有する。
【００９２】
第３の実施形態では、ＵＳＢメモリ１０８が転送装置１に連結された状態で、転送装置１の転送部１６５が、管理サーバ３から受信して圧縮した診断画像をＵＳＢメモリ１０８に転送する。この際、表示制御部１６４は、第１の実施形態とは異なり携帯端末２との間で接続の確立を行う必要がないので、二次元コード７３２を操作画面７００に表示させない。すなわち、表示制御部１６４は、転送部１６５がＵＳＢメモリ１０８に診療記録を転送する場合には、二次元コード７３２を操作画面７００に表示させない。
【００９３】
その後、ユーザが、ＵＳＢメモリ１０８を転送装置１から取り外して携帯端末２と連結させる。これにより、ユーザは、ＵＳＢメモリ１０８内の診断画像を携帯端末２に取り込んで記憶させる。かかる場合には、無線通信を介さず診断画像を転送装置１から携帯端末２に転送できるので、より安全に診断画像を携帯端末２に転送できる。
【００９４】
なお、上記では、転送装置１がＵＳＢメモリ１０８を介して携帯端末２に診断画像を転送するケースについて説明したが、転送装置１がケーブルを介して携帯端末２に診断画像を転送する場合にも、同様な処理が行われる。
【００９５】
転送装置１は、圧縮した診断画像を、転送装置１及び携帯端末２の間で事前にファイルを共有している記憶サーバ４（図１）にインターネットを介して送信してもよい。かかる場合には、例えば、ユーザである医者は、病院外にいる際に記憶サーバ４から圧縮した診断画像を受信する。これにより、医者は、外出中に高画質の診断画像を見ながら診察をすることが可能となる。
【００９６】
また、上記では、操作画面７００に二次元コード７３２を表示させることとしたが、これに限定されない。例えば、二次元コード７３２に代えて、バーコードを表示させてもよい。
【００９７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００９８】
１    転送装置
２    携帯端末
３    管理サーバ
１５    記憶部
１６    制御部
２２    読取部
１６１    取得部
１６２    圧縮部
１６３    コード処理部
１６４    表示制御部
１６５    転送部
１６６    消去部
１６７    入力部
７００    操作画面
７３２    二次元コード
Ｓ    診療記録転送システム
【図１】
0006532742.tif 000002
【図２】
0006532742.tif 000003
【図３】
0006532742.tif 000004
【図４】
0006532742.tif 000005
【図５】
0006532742.tif 000006
【図６】
0006532742.tif 000007
【図７】
0006532742.tif 000008
【図８】
0006532742.tif 000009
【図９】
0006532742.tif 000010
【図１０】
0006532742.tif 000011
【図１１】
0006532742.tif 000012
【図１２】
0006532742.tif 000013